(57)【特許請求の範囲】
【請求項１】
調理器本体の四方の側壁のうちの特定の側壁に本体側コネクタが設けられ、この本体側コネクタに、外部機器との通信を行うためのワイヤーハーネスの一端に設けたハーネス側コネクタが接続されるとともに、前記特定の側壁に、前記本体側コネクタ及び前記ハーネス側コネクタを覆うカバー体が装着される調理器であって、
前記カバー体に一体的に形成された第１係合部と、
前記特定の側壁に設けられ、前記カバー体が前記特定の側壁に対し所定の位置関係にあるとき前記第１係合部と係合することにより前記カバー体が前記特定の側壁に沿う方向で装着開始位置と装着完了位置との間を移動することを許容しつつ前記カバー体の前記調理器本体からの離間を規制する第２係合部とを備え、
前記装着開始位置では前記第１係合部と前記第２係合部とが係合して前記カバー体の装着完了位置への移動が開始され、又は前記第１係合部と前記第２係合部との係合が外れて前記カバー体の取り外しが行われるようになっており、
前記装着完了位置では前記カバー体の装着方向への移動を規制して前記カバー体の装着が完了するようになっており、
更に、前記特定の側壁に設けられ、前記カバー体が前記装着完了位置で前記調理器本体から離間する方向に外力を受けたときでも前記第１係合部と前記第２係合部との係合が解除されることを規制する係合解除規制部を備えており、
前記カバー体は、前記特定の側壁に対しその一部を構成する取付板を介して装着されており、前記取付板は、略矩形状の主壁部と、この主壁部の左右両側縁からそれぞれ前記特定の側壁の外側に略直角に立ち起こしてなる左右２つの側壁部とを有しており、
前記カバー体は、前記取付板の主壁部に対応した略矩形状の前面部と、この前面部の上縁から前記特定の側壁側に略直角に立ち起こしてなる上面部と、前記前面部の左右両側縁からそれぞれ前記特定の側壁側に略直角に立ち起こしてなる左右２つの側面部とを有しており、
前記カバー体が前記特定の側壁に対し所定の位置関係にあるときにはこのカバー体の前面部が前記取付板の主壁部と対向して位置し、前記カバー体の各側面部は、それぞれ前記取付板の対応する側壁部の内側に接触又は近接し、前記カバー体の各側面部の前面部から遠い側の端は、それぞれ前記取付板の主壁部の側壁部に近接した位置に接触又は近接するようになっており、
前記第１係合部は、前記カバー体の各側面部に形成された上下方向に延びる段差部であり、この段差部は、前記前面部に近い側が遠い側よりも当該側面部の内側に寄った形状のものであり、
前記第２係合部は、前記取付板の各側壁部にそれぞれ当該側壁部の内側に突出して形成された複数の突起部からなり、この複数の突起部は、上下方向に所定間隔毎に形成されており、
前記係合解除規制部は、前記取付板の主壁部の各側壁部に近接した位置にそれぞれ前記主壁部の内側に突出して形成された突起部であって、前記カバー体の各側面部の前面部から遠い側の端が当該側面部の内側に撓むのを規制することで前記第１係合部と前記第２係合部との係合が解除されることを規制するものであることを特徴とする調理器。
【請求項２】
前記取付板の主壁部にはコネクタ開口部が設けられ、このコネクタ開口部には前記本体側コネクタが貫通した状態で設けられており、前記カバー体の前面部には、前記本体側コネクタに前記ハーネス側コネクタを介して接続された前記ワイヤーハーネスが前記ハーネス側コネクタから離れるに従い下方に位置する下り勾配となるようにガイドするガイド部が設けられている請求項１記載の調理器。
【発明の詳細な説明】
【技術分野】
【０００１】
本発明は、ガスコンロなどの調理器に関し、特に、外部機器との通信を行うためのコネクタを覆うカバー体を備えるものに係わる。
【背景技術】
【０００２】
従来、ガスコンロなどの調理器として、例えば特許文献１に開示されているように、調理器の内部に配置される装置と調理器の外部に配置される装置とをコネクタやワイヤーハーネスなどを用いて電気的に接続したものは知られている。
【０００３】
このような調理器においては、通常、調理器本体の四方の側壁のいずれかにコネクタが設けられているが、このコネクタに煮こぼれがかかる虞はない。しかし、孔や隙間などがある場合でもコネクタに煮こぼれがかかるのを防止するためにカバー体が設けられることがある。
【先行技術文献】
【特許文献】
【０００４】
【特許文献１】特開２０１２−９９６２３号公報
【発明の概要】
【発明が解決しようとする課題】
【０００５】
しかしながら、前記カバー体を調理器本体に装着するに当たり、ねじ止めなどによって行うと部品点数や製造工数が増加し、それに伴い製造コストが高くなるという問題がある。
【０００６】
本発明はかかる点に鑑みてなされたものであり、その課題は、カバー体を調理器本体に装着するための部品点数や製造工数の増加を抑制し、装着する際の作業性が良く、製造コストの低減化を有効に図り得る調理器を提供することにある。
【課題を解決するための手段】
【０００７】
前記の課題を解決するため、本発明は、調理器として、調理器本体の四方の側壁のうちの特定の側壁に本体側コネクタが設けられ、この本体側コネクタに、外部機器との通信を行うためのワイヤーハーネスの一端に設けたハーネス側コネクタが接続されるとともに、前記特定の側壁に、前記本体側コネクタ及びハーネス側コネクタを覆うカバー体が装着されることを前提とする。そして、前記カバー体に一体的に形成された第１係合部と、前記特定の側壁に設けられ、前記カバー体が前記特定の側壁に対し所定の位置関係にあるとき前記第１係合部と係合することにより前記カバー体が前記特定の側壁に沿う方向で装着開始位置と装着完了位置との間を移動することを許容しつつ前記カバー体の前記調理器本体からの離間を規制する第２係合部とを備える。前記装着開始位置では前記第１係合部と前記第２係合部とが係合して前記カバー体の装着完了位置への移動が開始され、又は前記第１係合部と前記第２係合部との係合が外れて前記カバー体の取り外しが行われるようになっており、前記装着完了位置では前記カバー体の装着方向への移動を規制して前記カバー体の装着が完了するようになっている。更に、前記特定の側壁に設けられ、前記カバー体が前記装着完了位置で前記調理器本体から離間する方向に外力を受けたときでも前記第１係合部と前記第２係合部との係合が解除されることを規制する係合解除規制部を備える構成にする。
【０００８】
この構成では、カバー体が調理器本体の特定の側壁に対し所定の位置関係にあるときには、カバー体に一体的に形成された第１係合部と前記特定の側壁に設けられた第２係合部とが係合することにより、カバー体の調理器本体からの離間が規制されるが、カバー体が特定の側壁に沿う方向で装着開始位置と装着完了位置との間を移動することが許容される。そして、装着開始位置ではカバー体の装着の開始と取り外しを行うことができ、また装着完了位置ではカバー体の装着を完了することができる。このため、カバー体をねじ止めする必要はなく、スライド移動させるだけでカバー体の調理器本体への装着及び取り外しを行うことができる。
【０００９】
しかも、カバー体が装着完了位置にあるときには、カバー体が調理器本体から離間する方向に外力を受けたときでも係合解除規制部によって第１係合部と第２係合部との係合が解除されることが規制されるようになっているため、カバー体の装着が外れるのを抑制することができる。
【００１０】
ここで、前記カバー体を前記特定の側壁に装着するに当たっては、取付板を介在するように構成しても良い。すなわち、前記カバー体は、前記特定の側壁に対しその一部を構成する取付板を介して装着されており、前記取付板は、略矩形状の主壁部と、この主壁部の左右両側縁からそれぞれ前記特定の側壁の外側に略直角に立ち起こしてなる左右２つの側壁部とを有している。また、前記カバー体は、前記取付板の主壁部に対応した略矩形状の前面部と、この前面部の上縁から前記特定の側壁側に略直角に立ち起こしてなる上面部と、前記前面部の左右両側縁からそれぞれ前記特定の側壁側に略直角に立ち起こしてなる左右２つの側面部とを有している。そして、前記カバー体が前記特定の側壁に対し所定の位置関係にあるときにはこのカバー体の前面部が前記取付板の主壁部と対向して位置し、前記カバー体の各側面部は、それぞれ前記取付板の対応する側壁部の内側に接触又は近接し、前記カバー体の各側面部の前面部から遠い側の端は、それぞれ前記取付板の主壁部の側壁部に近接した位置に接触又は近接するようになっている。
【００１１】
このような構成の場合、カバー体の形状に対応して、取付板の形状を設計変更すれば足り、調理器本体の特定の側壁の形状自体を設計変更する必要はないので、実施化を図る上で有利なものである。
【００１２】
前記第１係合部及び前記第２係合部の具体的な形態は、以下の通りである。すなわち、前記第１係合部は、前記カバー体の各側面部に形成された上下方向に延びる段差部であり、この段差部は、前記前面部に近い側が遠い側よりも当該側面部の内側に寄った形状のものである。また、前記第２係合部は、前記取付板の各側壁部にそれぞれ当該側壁部の内側に突出して形成された複数の突起部からなり、この複数の突起部は、上下方向に所定間隔毎に形成されている。
【００１３】
また、前記係合解除規制部の具体的な形態は、以下の通りである。すなわち、前記係合解除規制部は、前記取付板の主壁部の各側壁部に近接した位置にそれぞれ前記主壁部の内側に向かって突出して形成された突起部であって、前記カバー体の各側面部の前面部から遠い側の端が当該側面部の内側に撓むのを規制することで前記第１係合部と前記第２係合部との係合が解除されることを規制するものである。
【００１４】
さらに、前記取付板の主壁部にコネクタ開口部を設け、このコネクタ開口部に前記本体側コネクタを貫通した状態で設け、前記カバー体の前面部に、前記本体側コネクタに前記ハーネス側コネクタを介して接続された前記ワイヤーハーネスが前記ハーネス側コネクタから離れるに従い下方に位置する下り勾配となるようにガイドするガイド部を設けることが好ましい。この場合、ワイヤーハーネスがカバー体の前面部に設けたガイド部によってハーネス側コネクタから離れるに従って下方に位置する下り勾配となるため、カバー体の前面部の外側から煮こぼれがワイヤーハーネスに落ちたときでも煮こぼれがワイヤーハーネスを伝わってハーネス側コネクタひいては本体側コネクタにまで入り込むことを抑制することができる。
【発明の効果】
【００１５】
本発明の調理器によれば、カバー体をねじ止めする必要がなく、スライド移動させるだけでカバー体の調理器本体への装着及び取り外しを行うことができるので、作業性の向上を図ることができるとともに、製造コストの低減化を図ることができる。しかも、カバー体が装着完了位置にあるときにはカバー体が調理器本体から離間する方向に外力を受けたときでも係合解除規制部によって第１係合部と第２係合部との係合が解除されることが規制されるようになっているため、カバー体の装着が外れるのを抑制することできる。この結果、実施化を有効に図ることができる。
【図面の簡単な説明】
【００１６】
【図１】図１は本発明の一実施形態に係るガスコンロを右後方から見た斜視図である。
【図２】図２は前記ガスコンロの背面図である。
【図３】図３は取付板とカバー体とを組み付けた状態を示す斜視図である。
【図４】図４は前記取付板と前記カバー体とを分離した状態を示す斜視図である。
【図５】図５は図３のＸ方向から見た矢視図である。
【図６】図６は図３のＹ方向から見た矢視図である。
【図７】図７は図６のＺ−Ｚ線における断面図である。
【図８】図８は図５のＤ−Ｄ線における断面図である。
【発明を実施するための形態】
【００１７】
以下、本発明を実施するための形態である実施形態を図面に基づいて説明する。
【００１８】
図１及び図２は本発明の一実施形態に係る調理器としてのガスコンロ１を示す。このガスコンロ１は、ビルトイン型のコンロであり、例えばシステムキッチンのキャビネット内に組み込まれて用いられる。キャビネット内のガスコンロ１下方には、図示していないが、オーブンが配置される。また、ガスコンロ１の上方には、図示していないが、換気扇が配置される。
【００１９】
ガスコンロ１は、上方に開口する矩形箱状の筐体からなる調理器本体としてのガスコンロ本体２と、このガスコンロ本体２の上方への開口を閉塞する天板３とを備えている。
【００２０】
天板３には火力の異なる３つの加熱部４，５，６が設けられているとともに、天板３上の各加熱部４〜６の周囲にはそれぞれ調理容器を載置するための五徳７又は８が配置されている。各加熱部４〜６は、ガスコンロ本体２内に配置したコンロバーナなどからなる。
【００２１】
ガスコンロ１は、更に、ガスコンロ本体２内にグリル庫、グリルバーナ及び制御部（いずれも図示せず）などを備えている。グリル庫に対応して、ガスコンロ本体２の前面には、図示していないが、グリル扉が開閉自在に設けられているとともに、天板３の後部には、グリル庫の排気を排出する天板３の左右方向（幅方向）に長いグリル排気口９が設けられている。
【００２２】
ガスコンロ本体２の四方の側壁のうちの背面側の側壁１１には、外部からガスをガスコンロ本体２内のコンロバーナ及びグリルバーナに供給するためのガス接続継手１２が設けられている。ガス接続継手１２を設けるに当たり、背面側の側壁１１には取付板１３が固定されている。取付板１３は、ガス接続継手１２の設置に必要なものであり、背面側の側壁１１の一部を構成している。
【００２３】
取付板１３には、ガスコンロ本体２内の制御部に電気的に接続される本体側コネクタ１４（図４参照）が設けられており、この本体側コネクタ１４には、外部機器としてキャビネット内のガスコンロ１下方に配置されるオーブンとの通信を行うためのワイヤーハーネス１５の一端に設けたハーネス側コネクタ１６（共に図８参照）が接続されるようになっている。そして、オーブンの調理が開始された時などに、ガスコンロ本体２内の制御部でそのことを把握し、ガスコンロ１上方に配置されている換気扇を作動させる信号を出力するようになっている。
【００２４】
また、取付板１３には、本体側コネクタ１４及びハーネス側コネクタ１６を覆うカバー体１７が装着されており、カバー体１７は、ガスコンロ本体２の背面側の側壁１１に対し取付板１３を介在して装着されている。
【００２５】
ガスコンロ本体２の背面側の側壁１１の上部には仕切り板１８が取り付けられており、取付板１３及びカバー体１７の上部側は、仕切り板１８により覆われている。尚、キャビネット内のガスコンロ１下方にオーブンを配置する場合には、仕切り板１８の一部分を切断し、オーブン排気筒（図示せず）をグリル排気口９に連通させる。また、図示していないが、元ガス栓はオーブンのガス供給用接続口に接続し、オーブンからのガス供給管が、ガス接続継手１２に接続されることにより、ガスコンロ１にガスが供給される。
【００２６】
取付板１３及びカバー体１７の構成は、図３ないし図８に詳示しており、以下、これらの構成について説明する。
【００２７】
取付板１３は、主に図４に示すように、略矩形状の主壁部２１と、主壁部２１の左右両側縁からそれぞれ背面側の側壁１１の外側に略直角に立ち起こしてなる左右２つの側壁部２２，２３と、主壁部２１の下縁から背面側の側壁１１の外側に略直角に立ち起こしてなる下壁部２４と、左側の側壁部２２と下壁部２４との間及び右側の側壁部２３と下壁部２４との間でそれぞれ主壁部２１の縁部を背面側の側壁１１の外側に略直角に折り曲げてなる左右２つの傾斜壁部２５，２６とを有している。
【００２８】
各側壁部２２，２３の先端部（主壁部２１から遠い側の端部）にはそれぞれ当該先端部を対応する側壁部２２，２３の外側に略直角に折り曲げてなる上下２つのフランジ部２７，２７が形成されているとともに、下壁部２４の先端部には当該先端部を下壁部２４の外側に略直角に折り曲げてなるフランジ部２８が形成されている。また、各傾斜壁部２５，２６の先端部にもそれぞれ当該先端部を対応する傾斜壁部２５，２６の外側に略直角に折り曲げてなるフランジ部２９，３０が形成されている。
【００２９】
更に、主壁部２１の上縁部には当該上縁部を主壁部２１の外側（背面側の側壁１１の内側）に略直角に折り曲げてなる取付フランジ部３１が形成され、この取付フランジ部３１には貫通孔３２が設けられている。各側壁部２２，２３の上端部にはそれぞれ当該上端部を側壁部２２，２３の外側に略直角に折り曲げてなる取付フランジ部３３，３４が形成され、この取付フランジ部３３，３４にはそれぞれ貫通孔３５，３６が設けられている。
【００３０】
そして、取付板１３をガスコンロ本体２の背面側の側壁１１に固定するときには、取付板１３の各フランジ部２７〜３０を側壁１１の外側に当接する。また、取付板１３の３つの取付フランジ部３１，３３，３４をそれぞれガスコンロ本体２側に設けた被取付部（図示せず）に当接し、各取付フランジ部３１，３３，３４の貫通孔３２，３５，３６を用いてねじ止めをする。これにより、取付板１３が固定される。
【００３１】
取付板１３の主壁部２１の中央部にはガス接続継手１２を通すための開口部３７が設けられているとともに、主壁部２１の開口部３７右下の隅角部寄りの位置にコネクタ開口部３８が設けられている。コネクタ開口部３８には本体側コネクタ１４が貫通した状態で設けられている（図７及び図８参照）。
【００３２】
一方、カバー体１７は、主に図３及び図４に示すように、取付板１３の上方から取付板１３の主壁部２１及び左右２つの側壁部２２，２３で囲まれた内側領域内に嵌め込まれて装着されるようになっている。カバー体１７は、取付板１３の主壁部２１に対応した略矩形状の前面部４１と、前面部４１の上縁から取付板１３の主壁部２１側（つまりガスコンロ本体２の背面側の側壁１１側）に略直角に立ち起こしてなる上面部４２と、前面部４１の左右両側縁からそれぞれ取付板１３の主壁部２１側に略直角に立ち起こしてなる左右２つの側面部４３，４４とを有している。そして、カバー体１７が取付板１３の内側領域内に嵌め込まれた装着状態にあるとき（換言すればカバー体１７がガスコンロ本体２の背面側の側壁１１に対し所定の位置関係にあるとき）には、カバー体１７の前面部４１が取付板１３の主壁部２１と所定距離（カバー体１７の各側面部４３，４４の奥行き寸法程度）隔てて対向して位置し、カバー体１７の各側面部４３，４４は、それぞれ取付板１３の対応する側壁部２２，２３の内側に接触又は近接し、カバー体１７の各側面部４３，４４の先端（前面部４１から遠い側の端）は、それぞれ取付板１３の主壁部２１の側壁部２２，２３に近接した位置に接触又は近接するようになっている。
【００３３】
カバー体１７の前面部４１には、図５にも示すように、取付板１３の開口部３７に対向して、前面部４１の下縁から大きく逆Ｕ字状に切り欠いてなる切り欠き部４５が形成されているとともに、取付板１３のコネクタ開口部３８に対応して、前面部４１の下縁から小さく逆Ｕ字状に切り欠いてなるガイド部４６が形成されている。ガイド部４６は、図８に示すように、その縁部を１８０度折り返すヘミング加工が施されている。ガイド部４６の上縁は、本体側コネクタ１４に接続されたハーネス側コネクタ１６のワイヤーハーネス１５との接続位置よりも所定寸法Ｈ下方に位置するように設けられている。そして、本体側コネクタ１４にハーネス側コネクタ１６を接続するときにワイヤーハーネス１５をガイド部４６に通すとガイド部４６は、ワイヤーハーネス１５がハーネス側コネクタ１６から離れるに従って下方に位置する下り勾配となるようにガイドする。
【００３４】
ガスコンロ１は、主に図４に示すように、カバー体１７が取付板１３の内側領域内に嵌め込まれた装着状態にあるときカバー体１７の装着を行うために、カバー体１７に一体的に形成された第１係合部５１と、取付板１３に一体的に形成された第２係合部５２とを備えている。第２係合部５２は、カバー体１７が装着状態にあるとき第１係合部５１と係合することによりカバー体１７が取付板１３の主壁部２１に沿う上下方向で装着開始位置と装着完了位置との間を移動することを許容しつつカバー体１７の取付板１３からの離間を規制するものである。ガスコンロ１は、更に、取付板１３に一体的に形成された係合解除規制部５３を備えている。係合解除規制部５３は、カバー体１７が装着完了位置で取付板１３から離間する方向に外力を受けたときでも第１係合部５１と第２係合部５２との係合が解除されることを規制するものである。
【００３５】
第１係合部５１は、図５及び図６にも示すように、カバー体１７の各側面部４３，４４に形成された上下方向に延びる段差部であり、この段差部（第１係合部５１）は、前面部４１に近い側が遠い側よりも当該側面部４３，４４の内側に寄った形状のものである。
【００３６】
第２係合部５２は、同じく図５及び図６にも示すように、取付板１３の各側壁部２２，２３にそれぞれ当該側壁部２２，２３の内側に突出して形成された複数（図では２つ）の略半球状の突起部５２ａ，５２ｂからなる。複数の突起部５２ａ，５２ｂは、上下方向に所定間隔毎に形成されている。
【００３７】
装着開始位置では第１係合部５１と第２係合部５２（詳しくは複数の突起部５２ａ，５２ｂのうち、最も上方に位置する突起部５２ａ）とが係合してカバー体１７の装着完了位置への移動が開始され、又は第１係合部５１と第２係合部５２との係合が外れてカバー体１７の取り外しが行われるようになっている。
【００３８】
また、装着完了位置では、図３及び図６に示すように、カバー体１７の上面部４２の先端に形成したストッパー部４７が取付板１３の主壁部２１の上縁に接触することでカバー体１７の装着方向（下方）への移動を規制してカバー体１７の装着が完了するようになっている。
【００３９】
係合解除規制部５３は、図７にも示すように、取付板１３の主壁部２１の各側壁部２２，２３に近接した位置にそれぞれ主壁部２１の内側（ガスコンロ本体２の背面側の側壁１１の外側）に突出して形成された突起部であって、この突起部（係合解除規制部５３）は、軸方向を水平方向とする略半円筒形状に形成されている。そして、係合解除規制部５３は、カバー体１７の各側面部４３，４４の前面部４１から遠い側の端が当該側面部４３，４４の内側に撓むのを規制することで第１係合部５１と第２係合部５２との係合が解除されることを規制するものである。
【００４０】
次に、前記実施形態の作用効果について説明する。カバー体１７がガスコンロ本体２の背面側の側壁１１の一部を構成する取付板１３の内側領域内に嵌め込まれた装着状態にあるときには、カバー体１７に一体的に形成された第１係合部５１と取付板１３に一体的に形成された第２係合部５２とが係合することにより、カバー体１７の取付板１３からの離間が規制されるが、カバー体１７が取付板１３の主壁部２１に沿う上下方向で装着開始位置と装着完了位置との間を移動することが許容される。そして、装着開始位置ではカバー体１７の装着の開始と取り外しを行うことができ、また装着完了位置ではカバー体１７の装着を完了することができる。このため、カバー体１７をねじ止めする必要はなく、スライド移動させるだけでカバー体１７の装着及び取り外しを行うことができるので、作業性の向上を図ることができるとともに、製造コストの低減化を図ることができる。
【００４１】
しかも、カバー体１７が装着完了位置にあるときには、カバー体１７が取付板１３から離間する方向に外力を受けたときでも係合解除規制部５３によって第１係合部５１と第２係合部５２との係合が解除されることが規制されるようになっているため、カバー体１７の装着が外れるのを抑制することができる。この結果、実施化を有効に図ることができる。
【００４２】
特に、本実施形態では、カバー体１７をガスコンロ本体２の背面側の側壁１１に対し直接装着するのではなく、背面側の側壁１１の一部を構成する取付板１３に対し装着するように構成している。このため、カバー体１７の形状に対応して、取付板１３の形状を設計変更すれば足り、ガスコンロ本体２の背面側の側壁１１の形状自体を設計変更する必要はないので、実施化を図る上で有利なものである。尚、取付板１３は、ガス接続継手１２を設置するために必要な既存のものであるため、これにより、前述した製造コストの低減化などの効果が失われることはない。
【００４３】
また、ワイヤーハーネス１５がカバー体１７の前面部４１に設けたガイド部４６によってハーネス側コネクタ１６から離れるに従って下方に位置する下り勾配となるため、カバー体１７の前面部４１の外側から煮こぼれがワイヤーハーネス１５に落ちたときでも煮こぼれがワイヤーハーネス１５を伝わってハーネス側コネクタ１６ひいては本体側コネクタ１４にまで入り込むことを抑制することができる。
【００４４】
尚、本発明は前記実施形態に限定されるものではなく、その他種々の形態を包含するものである。例えば前記実施形態では、カバー体１７の各側面部４３，４４に段差部からなる第１係合部５１を、取付板１３の各側壁部２２，２３に複数の突起部５２ａ，５２ｂからなる第２係合部５２をそれぞれ一体的に形成したが、本発明は、逆に、カバー体１７の各側面部４３，４４に複数の突起部からなる第１係合部を、取付板１３の各側壁部２２，２３に段差部からなる第２係合部をそれぞれ一体的に形成するようにしても良い。また、カバー体１７の各側面部４３，４４に段差部を設けず、カバー体１７の前面部４１の左右の側縁部を第１係合部としても良い。
【００４５】
また、前記実施形態の場合、装着完了位置ではカバー体１７の上面部４２の先端に形成したストッパー部４７が取付板１３の主壁部２１の上縁に接触することでカバー体１７の装着方向（下方）への移動を規制してカバー体１７の装着が完了するように構成した。しかし、本発明は、これに限らず、装着完了位置で、例えばカバー体１７の前面部４１の下縁が取付板１３の下壁部２４に接触することでカバー体１７の装着方向への移動を規制してカバー体１７の装着が完了するように構成しても良い。
【００４６】
更に、前記実施形態では、ガスコンロ本体２の背面側の側壁１１に対し、カバー体１７を取付板１３を介して装着する場合について説明した。しかし、本発明は、この場合に限らず、ガスコンロ本体２などの調理器本体の四方の側壁のうちの特定の側壁に対し、カバー体を直接装着する場合、又は側壁の一部を構成する既存の取付板などを介して装着する場合にも同様に適用することができる。
【符号の説明】
【００４７】
１    ガスコンロ（調理器）
２    ガスコンロ本体（調理器本体）
１１    背面側の側壁（特定の側壁）
１３    取付板
１４    本体側コネクタ
１５    ワイヤーハーネス
１６    ハーネス側コネクタ
１７    カバー体
２１    主壁部
２２，２３    側壁部
３８    コネクタ開口部
４１    前面部
４２    上面部
４３，４４    側面部
４６    ガイド部
４７    ストッパー部
５１    第１係合部（段差部）
５２    第２係合部
５２ａ，５２ｂ    突起部
５３    係合解除規制部（突起部）
【図１】
0006530623.tif 000002
【図２】
0006530623.tif 000003
【図３】
0006530623.tif 000004
【図４】
0006530623.tif 000005
【図５】
0006530623.tif 000006
【図６】
0006530623.tif 000007
【図７】
0006530623.tif 000008
【図８】
0006530623.tif 000009